(57)【要約】【課題】操作線付きの不正用遊技媒体による不正行為を抑制することが可能な遊技機の提供を目的とする。【解決手段】本発明のパチンコ遊技機１０によれば、先端から基端側かけて受容溝６０を有する戻り規制突片５０をサイド流下樋３７における検出スイッチ３７Ｓの下方に設けることにより、パチンコ遊技機１０の外部から操作線Ｌにて不正球Ｗを引き戻すと、操作線Ｌが受容溝６０に受容された状態で不正球Ｗが戻り規制突片５０の下面５０Ｔに当接して、戻り規制突片５０より上方に移動することができなくなる。【選択図】図６
2012213546.tif 000002
【特許請求の範囲】
【請求項１】
遊技領域に配設された入球口と、
前記入球口に入球した遊技媒体が流下可能な遊技媒体通路と、
前記遊技媒体通路に配設された検出部とを備え、
前記検出部が前記遊技媒体の通過を検出したことに起因して遊技者に特典を付与する遊技機において、
前記遊技媒体通路は、斜め下方又は側方に延びた横方向流下通路と、その横方向流下通路の終端部又は途中から下方向に屈曲した下方向流下通路とを有し、
前記下方向流下通路に前記検出部を配設し、
前記検出部より下方或いは前記検出部と一体に設けられて、前記下方向流下通路の内面のうち前記横方向流下通路から前記遊技媒体が流下してくる側に位置する第１内面部から前記第１内面部と対向する第２内面部方向に向けて水平な側方又は斜め下の側方に向かって張り出しかつ先端から基端側に切れ込んだ受容溝を有する戻り規制突片を備え、
前記下方向流下通路の前記戻り規制突片の先端側と前記第２内面部との間を少なくとも前記遊技媒体１個分が通過可能な間隔とし、
操作線付きの不正用遊技媒体が前記遊技媒体通路を流下して、前記下方向流下通路の前記少なくとも遊技媒体１個分が通過可能な間隔を通過して前記戻り規制突片を越えて下方側に流下し、前記操作線にて引き戻し操作されたときに、前記横方向流下通路と前記下方向流下通路との屈曲により前記操作線を前記受容溝に受容した状態で前記不正用遊技媒体を下面に当接させて、前記不正用遊技媒体の前記戻り規制突片よりも上方への移動を禁止可能とすることを特徴とする遊技機。
【請求項２】
前記受容溝内に、前記操作線を切断するための切断部を設けたことを特徴とする請求項１に記載の遊技機。
【請求項３】
前記戻り規制突片の上面は、前記遊技媒体が乗り上がった状態に保持されないように下方に向かって傾斜していることを特徴とする請求項１又は２に記載の遊技機。
【請求項４】
前記下方向流下通路における前記戻り規制突片より下方には、前記遊技媒体を遊技機の外部に排出する排出口が備えられていることを特徴とする請求項１乃至３の何れか１の請求項に記載の遊技機。
【請求項５】
前記遊技媒体が通過可能な貫通孔を有し、その貫通孔への遊技媒体の通過を検出する前記検出部を前記戻り規制突片の先端に一体に設けて、前記貫通孔と前記受容溝とを連通させたことを特徴とする請求項１乃至４の何れか１の請求項に記載の遊技機。
【請求項６】
前記操作線が前記受容溝の奥側に進むに従って前記不正用遊技媒体と前記戻り規制突片との当接可能な範囲が広くなるように構成したことを特徴とする請求項１乃至５の何れか１の請求項に記載の遊技機。
【請求項７】
前記受容溝には、受容した前記操作線が前記受容溝から抜け出ることを規制する抜止規制部が備えられていることを特徴とする請求項１乃至６の何れか１の請求項に記載の遊技機。
【請求項８】
前記受容溝には、奥側に向かって徐々に幅が狭くなった操作線導入部と、前記操作線導入部の奥側に配置されて、前記操作線導入部のうちの奥部よりに内部が広くなった溝終端部とが備えられ、前記溝終端部における前記操作線導入部との連絡口の開口縁を、前記抜止規制部としたことを特徴とする請求項７に記載の遊技機。
【請求項９】
前記溝終端部の内面に、前記操作線を切断するための切断部を設けたことを特徴とする請求項８に記載の遊技機。
【発明の詳細な説明】
【技術分野】
【０００１】
本発明は、入球口への入球に伴って遊技特典を付与する遊技機に関する。
【背景技術】
【０００２】
従来、この種の遊技機として、入球口に検出スイッチを配置して、遊技球が検出スイッチを通過したことに伴い遊技特典を付与するものが知られている（例えば、特許文献１参照）。
【先行技術文献】
【特許文献】
【０００３】
【特許文献１】特開平８−１９６７００号公報（段落［００２２］、第３図、第６図）
【発明の概要】
【発明が解決しようとする課題】
【０００４】
ところで、近年、遊技球に糸などを取り付けて外部から操作して入賞させる不正行為が発生している。このため、例えば、従来の遊技機では、入球口に糸付きの遊技球を打ち込んで、検出スイッチ通過後に糸を引き戻して再び検出スイッチを通過させたりして遊技特典を得る不正行為が行われるおそれがあった。
【０００５】
本発明は、上記事情に鑑みてなされたもので、操作線付きの不正用遊技媒体による不正行為を抑制することが可能な遊技機の提供を目的とする。
【課題を解決するための手段】
【０００６】
上記目的を達成するためになされた請求項１の発明に係る遊技機は、遊技領域に配設された入球口と、入球口に入球した遊技媒体が流下可能な遊技媒体通路と、遊技媒体通路に配設された検出部とを備え、検出部が遊技媒体の通過を検出したことに起因して遊技者に特典を付与する遊技機において、遊技媒体通路は、斜め下方又は側方に延びた横方向流下通路と、その横方向流下通路の終端部又は途中から下方向に屈曲した下方向流下通路とを有し、下方向流下通路に検出部を配設し、検出部より下方或いは検出部と一体に設けられて、下方向流下通路の内面のうち横方向流下通路から遊技媒体が流下してくる側に位置する第１内面部から第１内面部と対向する第２内面部方向に向けて水平な側方又は斜め下の側方に向かって張り出しかつ先端から基端側に切れ込んだ受容溝を有する戻り規制突片を備え、下方向流下通路の戻り規制突片の先端側と第２内面部との間を少なくとも遊技媒体１個分が通過可能な間隔とし、操作線付きの不正用遊技媒体が遊技媒体通路を流下して、下方向流下通路の少なくとも遊技媒体１個分が通過可能な間隔を通過して戻り規制突片を越えて下方側に流下し、操作線にて引き戻し操作されたときに、横方向流下通路と下方向流下通路との屈曲により操作線を受容溝に受容した状態で不正用遊技媒体を下面に当接させて、不正用遊技媒体の戻り規制突片よりも上方への移動を禁止可能とするところに特徴を有する。
【０００７】
請求項２の発明は、請求項１に記載の遊技機において、受容溝内に、操作線を切断するための切断部を設けたところに特徴を有する。
【０００８】
請求項３の発明は、請求項１又は２に記載の遊技機において、戻り規制突片の上面は、遊技媒体が乗り上がった状態に保持されないように下方に向かって傾斜しているところに特徴を有する。
【０００９】
請求項４の発明は、請求項１乃至３の何れか１の請求項に記載の遊技機において、下方向流下通路における戻り規制突片より下方には、遊技媒体を遊技機の外部に排出する排出口が備えられているところに特徴を有する。
【００１０】
請求項５の発明は、請求項１乃至４の何れか１の請求項に記載の遊技機において、遊技媒体が通過可能な貫通孔を有し、その貫通孔への遊技媒体の通過を検出する検出部を戻り規制突片の先端に一体に設けて、貫通孔と受容溝とを連通させたところに特徴を有する。
【００１１】
請求項６の発明は、請求項１乃至５の何れか１請求項に記載の遊技機において、操作線が受容溝の奥側に進むに従って不正用遊技媒体と戻り規制突片との当接可能な範囲が広くなるように構成したところに特徴を有する。
【００１２】
請求項７の発明は、請求項１乃至６の何れか１の請求項に記載の遊技機において、受容溝には、受容した操作線が前記受容溝から抜け出ることを規制する抜止規制部が備えられているところに特徴を有する。
【００１３】
請求項８の発明は、請求項７に記載の遊技機において、受容溝には、奥側に向かって徐々に幅が狭くなった操作線導入部と、操作線導入部の奥側に配置されて、操作線導入部のうちの奥部よりに内部が広くなった溝終端部とが備えられ、溝終端部における操作線導入部との連絡口の開口縁を、抜止規制部としたところに特徴を有する。
【００１４】
請求項９の発明は、請求項８に記載の遊技機において、溝終端部の内面に、操作線を切断するための切断部を設けたところに特徴を有する。
【発明の効果】
【００１５】
［請求項１の発明］
請求項１の遊技機では、操作線付きの不正用遊技媒体が下方向流下通路を流下して戻り規制突片を通過した後に、操作線を引き戻す操作が行われると、横方向流下通路と下方向流下通路との第１内面部側の屈曲部で操作線が曲げられ、その屈曲部より下方に不正用遊技媒体が垂下した状態となる。そして、下方向流下通路の第１内面部に配置された戻り規制突片の方へ操作線が寄せられて、操作線が受容溝に受容された状態で不正用遊技媒体が戻り規制突片の下面に当接して、不正用遊技媒体をそれより上方に引き上げることが困難或いは不可能になる。これにより、不正用遊技媒体を検出部に移動することが困難或いは不可能となり、不正行為を抑制することができる。
【００１６】
なお、本発明の戻り規制突片は、操作線が引き戻し操作される過程で、その操作線を受容溝に受容する構成であってもよいし、不正用遊技媒体が戻り規制突片を通過して流下する過程で、操作線を受容溝に受容する構成であってもよい。
【００１７】
［請求項２の発明］
請求項２の構成によれば、受容溝に備えた切断部にて操作線を切断することで、戻り規制突片が強く引っ張られて変形することを抑制することができる。また、操作線の切断により不正遊技媒体が不正行為者の手から離れるため、不正用遊技媒体を再度使用することを困難或いは不可能にすることが可能である。
【００１８】
なお、切断部は、引き戻し操作されている操作線に食い込んで切断するものであってもよいし、不正用遊技媒体が戻り規制突片の下面に当接した状態で操作線が引っ張られたときにその操作線に食い込んで切断するものであってもよい。また、本願の請求項１の発明は、操作線が切れることなく引き戻された場合に戻り規制突片の下面に当接するものであればよく、請求項２の発明のように、受容溝に切断部を備えて、不正用遊技媒体が戻り規制突片に当接する前に操作線を切断部で切断することできるものも請求項１の範囲に含まれる。
【００１９】
［請求項３の発明］
請求項３の遊技機によれば、戻り規制突片の上面の傾斜により遊技媒体が下方に流下して、遊技媒体通路の途中で遊技媒体が停滞することを抑制することができる。
【００２０】
［請求項４の発明］
請求項４の遊技機によれば、排出口に向かって流下した不正用遊技媒体を操作線の操作により検出部の手前まで引き戻して、検出させることを抑制することができる。また、例えば、戻り規制突片より上方に引き戻す操作ができなくなり手放された不正用遊技媒体や受容溝の切断部によって操作線が切断された不正用遊技媒体などを排出口に回収することができる。
【００２１】
［請求項５の発明］
請求項５の遊技機によれば、受容溝と貫通孔とが連通されているため、不正用遊技媒体が検出部を通過すると、操作線が受容溝に受容される。そして、操作線を引き戻す操作が行われると、不正用遊技媒体が戻り規制突片の下面に止められる。これにより、不正に検出部を通過する行為を抑制することができる。
【００２２】
［請求項６の発明］
請求項６の遊技機によれば、不正用遊技媒体が戻り規制突片によって覆い隠される範囲が広くなり、戻り規制突片のほぼ全体或いは全体で不正用遊技媒体を止めることができるため、不正用遊技媒体が戻り規制突片から抜け出ることを抑制することが可能となる。
【００２３】
［請求項７の発明］
請求項７の遊技機によれば、抜止規制部によって、受容溝に受容された操作線が抜け出ることを抑制することができる。これにより、不正用遊技媒体を戻り規制突片によって止めることが可能となる。
【００２４】
［請求項８の発明］
請求項８の遊技機によれば、操作線導入部によって操作線を受容溝の溝終端部に誘導しやすく、また誘導した操作線を溝終端部から抜け出ることを抑制することができる。
【００２５】
［請求項９の発明］
請求項９の遊技機によれば、溝終端部の切断部によって操作線を切断することができる。
【図面の簡単な説明】
【００２６】
【図１】本発明の一実施形態に係るパチンコ遊技機の正面図
【図２】遊技盤の正面図
【図３】サイド流下樋の一部を拡大した断面図
【図４】戻し規制突片の斜視図
【図５】戻し規制突片の断面図
【図６】サイド流下樋の一部を拡大した断面図
【図７】第２実施形態に係る検出スイッチの斜視図
【図８】サイド流下樋の一部を拡大した断面図
【図９】第３実施形態に係るサイド流下樋の一部を拡大した断面図
【図１０】サイド流下樋の一部を拡大した断面図
【発明を実施するための形態】
【００２７】
［第１実施形態］
以下、本発明の一実施形態に係るパチンコ遊技機１０を図１〜図６に基づいて説明する。図１に示すように、パチンコ遊技機１０は、前面を前面枠１０Ｚで覆われ、その前面枠１０Ｚの中央部に備えたガラス窓１０Ｗを通して遊技盤１１の遊技領域Ｒ１が視認可能になっている。
【００２８】
図２に示すように、遊技領域Ｒ１は、全体が円形状になっていて、ガイドレール１２により囲まれている。また、遊技領域Ｒ１のうち向かって左側の上端寄り位置には、遊技領域Ｒ１に遊技球を打ち込むための遊技領域進入孔１２Ｅが設けられている。
【００２９】
なお、以下の説明において、「左」という場合には、その説明対象物に向かって「左」側を指すものとし、「右」という場合には、その説明対象物に向かって「右」側を指すものとする。
【００３０】
図１に示すように、前面枠１０Ｚの上端両角部には、１対のスピーカ２５Ｓ，２５Ｓが備えられてる。前面枠１０Ｚのうちガラス窓１０Ｗより下側部分には、上皿２７Ａと下皿２７Ｂが上下２段に並べて設けられている。その上皿２７Ａの上方には、遊技状態によって遊技者が操作可能なジョグシャトル２７Ｊと、上皿２７Ａに収容された遊技球を下皿２７Ｂに移動するボタン２９が備えられている。また、下皿２７Ｂの上方には、下皿２７Ｂに収容された遊技球をドル箱に流下するための遊技ボタン２７Ｃが設けられている。
【００３１】
前面枠１０Ｚの右下角部には、操作ノブ２８が設けられ、前面枠１０Ｚの裏面側に備えた図示しない発射装置に操作ノブ２８が連結されている。また、発射装置には、上皿２７Ａから遊技球が供給されるようになっている。そして、操作ノブ２８を回動操作すると、その回動操作角に応じた強度で発射装置が遊技球を発射し、その遊技球がガイドレール１２に案内されて、遊技領域Ｒ１内に遊技領域進入孔１２Ｅから斜め上方に打ち込まれる。
【００３２】
図２に示すように、遊技盤１１の中央部には表示開口１１Ｈが貫通形成されている。そして、遊技盤１１の裏面側に備えた液晶モジュール（詳細には、ＴＦＴ−ＬＣＤモジュール）の表示画面３４が、表示開口１１Ｈを通して視認することができるようになっている。また、遊技盤１１の前面には、表示開口１１Ｈを囲むように表示枠体２３が設けられ、表示枠体２３はその全体が遊技盤１１の前面から突出している。
【００３３】
遊技領域Ｒ１のうち、表示枠体２３の下方には、始動入賞口１４、大入賞口１５及びアウト口１６が上から順に間隔をあけて並べで配置されている。また、始動ゲート１８が表示枠体の左側方に設けられると共に、表示枠体２３に一体成形されている。表示枠体２３の左側方には、風車１９が設けられている。
【００３４】
大入賞口１５の左右両側には、サイド入賞口２１，２１が設けられている。始動入賞口１４の左側には、ガイドレール１２に沿って、一般入賞口２０，２０が配置されている。また、遊技領域Ｒ１には、多数の障害釘１１Ｎが起立して設けられている。
【００３５】
以下に、遊技領域Ｒ１の各部位について詳説する。始動入賞口１４は、遊技盤１１の前面から突出した部材によって構成され、その部材の上面に遊技球が１つ通過可能な開口を備えた、所謂、ポケット構造をなしている。始動入賞口１４に遊技球が入賞すると、例えば、１個の入賞につき４個の遊技球が上皿２７Ａに払い出されると共に、特別図柄当否判定が行われる。そして、その判定結果は、表示画面３４に表示される。
【００３６】
具体的には、表示画面３４には、図１に示すように、通常、３つの特別図柄１３Ａ，１３Ｂ，１３Ｃが横並びに停止表示されている。これら各特別図柄１３Ａ，１３Ｂ，１３Ｃは、例えば、「０」〜「１１」の数字を表記した複数種類の図柄で構成されている。通常は、各特別図柄１３Ａ，１３Ｂ，１３Ｃごと、所定の種類の図柄が停止表示されている。そして、始動入賞口１４に遊技球が入賞したときに、これら各特別図柄１３Ａ，１３Ｂ，１３Ｃが上下方向にスクロール表示され、所定時間経過後に特別図柄１３Ａ，１３Ｂ，１３Ｃが、例えば、左、右、中の順番で停止表示される。特別図柄当否判定結果が当たり（以下、「大当たり」という）の場合には、図１に示すように３つの特別図柄１３Ａ，１３Ｂ，１３Ｃが全て同じ図柄で（ゾロ目）で停止表示され、その後、遊技が「大当たり遊技」に移行する。これに対し、特別図柄当否判定結果が外れの場合には、ゾロ目以外の組合せで停止表示され、通常の遊技状態が続行する。
【００３７】
大入賞口１５は横長矩形形状をしており、通常の遊技状態では、可動扉１５Ｔによって閉じられている。そして、「大当たり遊技」になったときに、図１に示すように可動扉１５Ｔが所定期間に亘って前側に倒される。すると、大入賞口１５が前方に開放され、可動扉１５Ｔを案内にして大入賞口１５に多くの遊技球が入球可能となる。大入賞口１５に遊技球が入球すると、例えば、１個の入球につき１５個の遊技球が上皿２７Ａに払い出される。
【００３８】
ここで、可動扉１５Ｔが開放してから閉じるまで間を「ラウンド」と称すると、１つのラウンドは、可動扉１５Ｔの開放時間が３０秒に達したか、又は、大入賞口１５に遊技球が１０個入球したかの何れかの終了条件が満たされた場合に終了する。また、「大当たり遊技」は、例えば、最大１５ラウンドまで継続される。
【００３９】
遊技盤１１の下方に設けられた一般入賞口２０，２０及びサイド入賞口２１，２１に遊技球が入球した場合には、１個の入賞につき所定複数個の賞球が上皿２７Ａに払い出される。
【００４０】
そして、上記した各入賞口１４，１５，２０，２０，２１，２１の何れにも入賞しなかった遊技球は、遊技領域Ｒ１の下端に配置されたアウト口１６に全て取り込まれる。
【００４１】
表示枠体２３のうちの左側部分の上下方向の中央部には、始動ゲート１８が設けられている。始動ゲート１８は、遊技球が潜って通過可能な門形構造をなしている。始動ゲート１８に遊技球が通過した場合には、普通図柄当否判定が行われる。その当否判定の結果は、表示画面３４或いは表示画面３４とは別の表示装置（図示せず）にて表示され、例えば、当たり（以下、「小当たり」という）のときには、「○」が表示され、外れのときには「×」が表示される。
【００４２】
図２に示すように、表示枠体２３の右側方には、遊技領域Ｒ１のうちの右側の領域を流下した遊技球を受け入れるサイド大入賞口３８が備えられている。サイド大入賞口３８は、右側の遊技領域Ｒ１における最も横幅が広い下端側に位置し、通常はサイド可動扉３８Ｔによって閉じられている。そして、後述するサイド始動入賞口５１Ｎに遊技球が入球し、かつ特別図柄当否判定結果が当たりの場合に、大当たり遊技が実行され、サイド可動扉３８Ｔが所定期間に亘って横に倒される。すると、サイド大入賞口３８が側方に開放され、サイド可動扉３８Ｔを案内にして遊技球がサイド大入賞口３８に入賞可能となり、その後、「大当たり遊技」に移行する。なお、サイド大入賞口３８に入球した遊技球は、表示枠体２３に設けられた内部通路（図示せず）を通り、遊技盤１１の裏側に回収される。
【００４３】
サイド可動扉３８Ｔも可動扉１５Ｔ同様、１つのラウンドは、サイド大入賞口３８の開放時間が３０秒に達したか、又は、サイド大入賞口３８に遊技球が１０個入球したかの何れかの終了条件が満たされた場合に終了する。サイド大入賞口３８に遊技球が入球すると、例えば、１個の入球につき１５個の遊技球が上皿２７Ａに払い出される。
【００４４】
サイド大入賞口３８の下方には、流下樋３９が設けられている。流下樋３９は、右側の遊技領域Ｒ１の下端部に配置されており、サイド大入賞口３８に入賞しなかった全ての遊技球が、流下樋３９に取り込まれる。流下樋３９は、表示枠体２３の右側辺部から下辺部に亘って貫通形成され、右側の遊技領域Ｒ１から受け入れた遊技球を始動入賞口１４の右上方に放出するようになっている。
【００４５】
また、表示枠体２３の左側部分には、ワープ路４０が設けられている。ワープ路４０は、表示枠体２３の左側辺の上下方向の中間部分から下端部に位置し、上端部の左側方に開口している入球口４０Ａから遊技領域Ｒ１を流下する遊技球を受け入れる。そして、入球口４０Ａから入球した遊技球は、ワープ路４０を通り、ステージ２３Ｓに排出される。
【００４６】
ステージ２３Ｓには、例えば、図示しない３つの振り分け孔が設けられており、その中の振り分け孔の１つが、表示枠体２３の内部通路を通り、ワープ出口２３Ｙから放出される。ここで、ワープ出口２３Ｙは、始動入賞口１４の真上に位置しているため、ワープ出口２３Ｙから放出された遊技球のほとんどが始動入賞口１４に入賞するようになっている。
【００４７】
また、表示枠体２３の左上角部には、上部段差面２３Ｋが形成されており、上部段差面２３Ｋより右側が左側より高くなっている。そして、遊技領域Ｒ１に打ち込まれる遊技球は、遊技球の発射速度によって上部段差面２３Ｋを越えて右側の遊技領域Ｒ１に流下するものと、上部段差面２３Ｋに衝突して左側の遊技領域Ｒ１に流下するものとに打ち分けることができる。
【００４８】
表示枠体２３における左側部分には、サイド流下樋３７が設けられ、そのサイド流下樋３７への入球口３７Ａが上部段差面２３Ｋに開口している。また、入球口３７Ａには、サイド可動扉３７Ｔが設けられている。サイド可動扉３７Ｔは、通常は閉じられており、前述した始動ゲート１８を遊技球が通過し、かつ、普通図柄当否判定の結果が「小当たり」の場合に、サイド可動扉３７Ｔが、例えば、３回に亘って１．５秒ずつ横に倒される。そして、遊技球がサイド流下樋３７に入球すると、鉛直経路部３７Ｖを流下して水平経路部３７Ｈに誘導される。
【００４９】
図３に示すように、サイド流下樋３７は、上端部が略鉛直に延びた鉛直経路部３７Ｖと、その鉛直経路部３７Ｖの下端部から左側に直角に曲げられた水平経路部３７Ｈと、水平経路部３７Ｈから下方に延びた第１流下経路５１と第２流下経路５２とを備えている。第１と第２の流下経路５１，５２は、横並びに配置されて水平経路部３７Ｈから鉛直下方にまっすぐ延び、途中から屈曲した形状になっている。
【００５０】
第１流下経路５１は、第２流下経路５２より鉛直経路部３７Ｖ側に配置され、その第１流下経路５１のうち上端開口がサイド始動入賞口５１Ｎになっている。また、サイド始動入賞口５１Ｎは、上部段差面２３Ｋより遊技領域進入孔１２Ｅ側に配置されている。そして、サイド始動入賞口５１Ｎを通過した遊技球を検出するために、第１流下経路５１の上端部には、検出スイッチ３７Ｓが設けられている。
【００５１】
詳細には、第１流下経路５１は、サイド始動入賞口５１Ｎから下方に均一幅をなして直線状に延びた上端直線部５１Ａと、その上端直線部５１Ａに対して左側に幅が広がった状態で下方に延びた中間幅広部５１Ｂと、その中間幅広部５１Ｂの下端部から右斜め下方に屈曲して延びた中間屈曲部５１Ｃと、中間屈曲部５１Ｃから鉛直下方に延びた下端直線部５１Ｄとを備えている。その第１流下経路５１の左側の内壁のうち水平経路部３７Ｈから中間屈曲部５１Ｃの上端部までの範囲の裏面側は、第２流下経路５２における右側の内壁をなしている。また、第２流下経路５２における左側の内壁は鉛直方向にまっすぐ延びている。
【００５２】
なお、本実施形態では、サイド流下樋３７が本発明の「遊技媒体通路」に相当し、そのサイド流下樋３７の水平経路部３７Ｈが本発明の「横方向流下通路」に相当し、さらに、第１流下経路５１が本発明の「下方向流下通路」に相当する。また、検出スイッチ３７Ｓが本発明の「検出部」に相当する。
【００５３】
第１と第２の流下経路５１，５２のうち第１流下経路５１に遊技球が入球した場合、即ち、水平経路部３７Ｈに入球後、サイド始動入賞口５１Ｎに遊技球が入球した場合には、その遊技球が検出スイッチ３７Ｓによって検出され、始動入賞口１４に入球した場合と同様に、一定の賞球が払い出されると共に特別図柄当否判定が行われて、その判定結果が特別図柄１３Ａ，１３Ｂ，１３Ｃ（図１参照）を用いて表示画面３４に表示される。そして、判定結果が当たりであれば、前述したサイド可動扉３８Ｔを開放する「大当たり遊技」が実行されて大きな利益が遊技者に付与される。即ち、サイド始動入賞口５１Ｎへの入球が検出スイッチ３７Ｓによって検出されるたびに、一定数の賞球という確実な利益と共に、大当たりという通常より大きな利益を得るチャンスが遊技者に付与される。これに対し、第１と第２の流下経路５１，５２のうち第２流下経路５２に遊技球が入球した場合、即ち、水平経路部３７Ｈに入球後、サイド始動入賞口５１Ｎに遊技球が入球しなかった場合には、一定数の賞球も大当たりになるチャンスも遊技者には付与されない。なお、第１と第２の流下経路５１，５２の何れに遊技球が入球しても、その遊技球は再び遊技領域Ｒ１を流下することはなく、遊技盤１１の裏面側に取り込まれる。また、本発明の「特典」は、上記した普通図柄当否判定結果による「小当たり」や、検出スイッチ３７Ｓの通過に起因した特別図柄当否判定結果による「大当たり」及び遊技球の払出（賞球）に限るものではなく、所謂、「確変遊技」、「時短遊技」などであってもよい。
【００５４】
本実施形態のパチンコ遊技機１０は、上記したように始動入賞口１４への入賞と同様にサイド始動入賞口５１Ｎへの入賞により通常より大きな利益を得ることができる。そして、サイド始動入賞口５１Ｎは、始動入賞口１４に比べて遊技領域進入孔１２Ｅの近くに配置されているので、所謂、「糸玉」を用いた不正行為の標的になり易い。その糸玉は、例えば、正規の遊技球に孔を穿孔して不正球Ｗ（本発明の「不正用遊技媒体」に相当する）とし、その孔に操作線Ｌ（例えば、ピアノ線）を通して固定した構造になっている。本実施形態のパチンコ遊技機１０では、この糸玉を用いてサイド始動入賞口５１Ｎに不正に入球させる行為を抑制するために本発明に係る戻り規制突片５０がサイド流下樋３７内に備えられている。
【００５５】
図３に示すように、戻り規制突片５０は、第１流下経路５１の中間幅広部５１Ｂにおける上下方向の中間に配置され、その中間幅広部５１Ｂのうちサイド始動入賞口５１Ｎから鉛直下方にまっすぐ延びた右側の内面から片持ち梁状に張り出している。詳細には、中間幅広部５１Ｂの右側の内面から水平左側に張り出し、先端に向かうに従って徐々に下方側に向かうように湾曲している。これに対し、第１流下経路５１のうち左側の内面は、戻り規制突片５０より上側位置より下側部分が戻り規制突片５０から離れる側（左側）に膨出している。これにより、第１流下経路５１に中間幅広部５１Ｂが形成され、その第１流下経路５１Ｂにおける左側の内面と戻り規制突片５０との間が、上端直線部５１Ａと略同一の幅になっている。即ち、中間幅広部５１Ｂの上端から途中位置までは実質的に上端直線部５１Ａと略同じ幅になっていて、中間幅広部５１Ｂの途中位置より下方が上端直線部５１Ａより広くなっている。なお、図３における第１流下経路５１の右側の内面が本発明の「第１内面部」に相当し、左側の内面が本発明の「第２内面部」に相当する。
【００５６】
図５に示すように、中間幅広部５１Ｂの内面からの戻り規制突片５０の張り出し量は、遊技球の直径の略１．５倍程度になっていて、戻り規制突片５０の下側に遊技球が１つ収まるようになっている。また、戻り規制突片５０は、基端から先端に向かうに従って徐々に肉厚が薄くなっている。さらに、戻り規制突片５０の先端面５０Ｓは、鉛直方向と平行になっていて、戻り規制突片５０の下面５０Ｔと先端面５０Ｓとが交差してなる部分が鋭角に尖って下方を向いている。
【００５７】
図４に示すように、戻り規制突片５０には、受容溝６０が形成されている。受容溝６０は、戻り規制突片５０の先端部から基端側にかけて設けられており、操作線導入部６０Ａ、抜止規制部６０Ｂ、溝終端部６０Ｃからなる。
【００５８】
操作線導入部６０Ａは、戻り規制突片５０の先端部から、戻り規制突片５０の長辺方向の先端部から３分の１程度の範囲に亘って設けられ、戻り規制突片５０の先端部の左右両角部から戻り規制突片５０の幅方向の中心に向かって徐々に幅が狭くなる構成になっている。また、操作線導入部６０Ａの内側面は、戻り規制突片５０の上面５０Ｊから下面５０Ｔに向かうに従って操作線導入部６０Ａの幅方向の中央側に迫り出すように傾斜した傾斜面６１になっている。これにより、戻り規制突片５０の下面５０Ｔの面積が広くなり、不正球Ｗを覆い隠す範囲を大きくすることができ、不正球Ｗを戻り規制突片５０よりも上方側の検出スイッチ３７Ｓに移動することを困難或いは不可能にすることができる。
【００５９】
抜止規制部６０Ｂは、例えば、幅が１〜２［ｍｍ］の均一幅をなして、操作線導入部６０Ａの奥部から戻り規制突片５０における基端寄り位置まで延びている。
【００６０】
溝終端部６０Ｃは、抜止規制部６０Ｂの幅より大きな内径の円形孔になっていて、その一部が抜止規制部６０Ｂに連通している。また、図５に示すように、溝終端部６０Ｃの上面側開口縁には、段付き状に窪んだ環状凹部６２Ａが形成され、その環状凹部６２Ａ内に金属リング６２Ｋが嵌った状態に固定されている。図４に示すように、金属リング６２Ｋは、円形リングの一部を抜止規制部６０Ｂに対応させて切り欠いた形状をなしている。そして、図５に示すように、金属リング６２Ｋの内縁部が先細り状に薄肉になっていて、溝終端部６０Ｃの内面から突出した部分が本発明に係る切断部６２になっている。
【００６１】
本実施形態のパチンコ遊技機１０の構成に関する説明は以上である。次に本実施形態のパチンコ遊技機１０の作用効果について説明する。操作ノブ２８を操作すると、上皿２７Ａ（図１参照）の遊技球が遊技領域進入孔１２Ｅから遊技領域Ｒ１内に斜め上方に向かって打ち込まれ、表示枠体２３の右側か左側を流下する。そして、始動ゲート１８への入球に起因してサイド可動扉３７Ｔが横に倒され、入球口３７Ａが開放すると、遊技領域Ｒ１に打ち込まれた遊技球は、入球口３７Ａからサイド流下樋３７内に遊技球が入球可能となり、それらのうちの一部の遊技球がサイド始動入賞口５１Ｎに入球すると、それが検出スイッチ３７Ｓにて検出されて特別図柄当否判定が行われ、その判定結果が当たりになると、サイド可動扉３８Ｔを開放する「大当たり遊技」が実行されて大きな利益が遊技者に付与される。
【００６２】
しかしながら、サイド始動入賞口５１Ｎに入球したからといって、特別図柄当否判定が必ず当たりになるわけではないので、特別図柄当否判定が当たりになるまで糸玉によってサイド始動入賞口５１Ｎへの入球を頻発させる不正行為の標的になり得る。具体的には、上皿２７Ａ（図１参照）に不正球Ｗを入れて通常の遊技球と同様に遊技領域Ｒ１のサイド流下樋３７内に向けて発射し、そのサイド流下樋３７のサイド始動入賞口５１Ｎの検出スイッチ３７Ｓを通過したら、操作線Ｌにて不正球Ｗをサイド始動入賞口５１Ｎの上方まで引き上げて再度検出スイッチ３７Ｓに通過させる不正行為の標的になり得る。
【００６３】
しかしながら、本実施形態のパチンコ遊技機１０は、サイド始動入賞口５１Ｎの検出スイッチ３７Ｓを通過した位置に戻り規制突片５０が設けられているので、上記した不正行為を抑制することができる。詳細には、上皿２７Ａからサイド流下樋３７内に不正球Ｗを到達させるために、操作線Ｌによる不正球Ｗの失速を防ぐべく、操作線Ｌを十分に長くした状態で不正球Ｗが発射装置から打ち出される。
【００６４】
すると、図６（Ａ）に示すように、操作線Ｌが引っ張れることなく不正球Ｗに追従するように湾曲して、不正球Ｗがサイド流下樋３７に進入する。このとき、操作線Ｌは十分に長くなっているので、不正球Ｗがサイド流下樋３７のサイド始動入賞口５１Ｎに入球したときには、検出スイッチ３７Ｓを通過して第１流下経路５１の奥部にまで到達する。その第１流下経路５１の奥部には、戻り規制突片５０が備えられていて、その戻り規制突片５０はサイド始動入賞口５１Ｎの鉛直下方に位置しているので、不正球Ｗは、例えば、戻り規制突片５０の上面５０Ｊに当接して、戻り規制突片５０の左側方に案内され、戻り規制突片５０を通過する。そして、不正球Ｗが戻り規制突片５０より下方に位置したところで、図６（Ｂ）に示すように、操作線Ｌの長さの限界に達して、操作線Ｌに不正球Ｗの自重によるテンションがかかった状態になる。
【００６５】
ここで、サイド始動入賞口５１Ｎは、入球口３７Ａが形成された上部段差面２３Ｋより遊技領域進入孔１２Ｅ側に配置されているので、操作線Ｌは、サイド始動入賞口５１Ｎのうち戻り規制突片５０が配置された右側の内面へと押し付けられ、不正球Ｗも第１流下経路５１の右側の内面側へと寄せられる。すると、操作線Ｌが戻り規制突片５０の受容溝６０に受容される。
【００６６】
このとき、操作線Ｌが戻り規制突片５０の幅方向の中央に位置していない場合には、操作線Ｌは受容溝６０の操作線導入部６０Ａに案内されて、戻り規制突片５０の幅方向の中央に向かって移動する。ここで、操作線導入部６０Ａの内側面は傾斜面６１になって、操作線導入部６０Ａの下縁部は鋭角に尖っているので、操作線Ｌは、その操作線導入部６０Ａの下縁部に点接触することになり、操作線導入部６０Ａの内側面が鉛直面になっていて、その操作線導入部６０Ａの内側面に操作線Ｌが線接触する場合に比べて、スムーズに操作線Ｌが操作線導入部６０Ａの奥側に案内される。そして、操作線Ｌは抜止規制部６０Ｂを通過して溝終端部６０Ｃに収まる。
【００６７】
これにより、図６（Ｃ）に示すように、操作線Ｌにて不正球Ｗを引き上げたときに不正球Ｗが戻り規制突片５０の下面５０Ｔに当接して、それ以上引っ張り上げることができなくなる。つまり、操作線Ｌにて不正球Ｗをサイド始動入賞口５１Ｎの上方まで引き上げて再度検出スイッチ３７Ｓに通過させる不正行為を抑制することができる。ここで、戻り規制突片５０に不正球Ｗが引っかかったことを知った不正行為者が、操作線Ｌをゆるめて戻り規制突片５０の下方で振り子動作をさせて操作線Ｌを受容溝６０から外そうとしても、操作線Ｌが収まっている溝終端部６０Ｃより、出口側の抜止規制部６０Ｂの方が狭いので、溝終端部６０Ｃの内面によって操作線Ｌが抜止規制部６０Ｂ側に戻ることが規制され、不正球Ｗの振り子動作も防がれる。しかも、溝終端部６０Ｃの内面からは切断部６２が突出しているので、操作線Ｌの材質次第では、操作線Ｌを切断することもできる。
【００６８】
このように、本実施形態のパチンコ遊技機１０によれば、操作線Ｌ付きの不正球Ｗが第１流下経路５１に入球し、その後、パチンコ遊技機１０の外部から操作線Ｌの引き戻し操作が行われた場合に、水平経路部３７Ｈと第１流下経路５１との右側の屈曲部で操作線Ｌが曲げられ、その屈曲部より下方に不正球Ｗが垂下した状態となる。そして、その屈曲部側に設けられた戻り規制突片５０側に操作線Ｌが寄せられ、操作線Ｌが受容溝６０に受容された状態で不正球Ｗが戻り規制突片５０の下面５０Ｔに当接して、それより上方に引き上げることができないため、操作線Ｌ付きの不正球Ｗによる不正行為を抑制することができる。
【００６９】
［第２実施形態］
本実施形態は、図７及び図８に示されおり、サイド始動入賞口５１Ｎに備えた検出スイッチ３７Ｗの構造が前記第１実施形態のサイド始動入賞口５１Ｎに備えた検出スイッチ３７Ｓと異なる。以下、前記第１実施形態と異なる構成に関してのみ説明する。
【００７０】
第１実施形態の検出スイッチ３７Ｓは、詳細は図示されていないが、平板状のベースに遊技球が通過可能な遊技球検知孔を有し、その遊技球検知孔を取り囲むようにベース部に検知コイルが埋設さえた構造になっている。これに対し、本実施形態の検出スイッチ３７Ｗは、図７に示すように、遊技球検知孔７１を備えたベース部７０に戻り規制突片５０Ａを一体に固定し、遊技球検知孔７１と戻り規制突片５０Ａの受容溝６０とが連通している。
【００７１】
具体的には、ベース部７０は、四角形の平板状をなし、遊技球検知孔７１は遊技球が通過可能な略円形をなし、その遊技球検知孔７１の一部がベース部７０の一辺で側方に開放している。また、戻り規制突片５０Ａは、前記した第１実施形態の戻り規制突片５０と同様の受容溝６０及び切断部６２を備えた構造をなし、戻り規制突片５０Ａのうち受容溝６０によって分割された２つの先端部がベース部７０の一辺における遊技球検知孔７１の開放口の両側に連結されて一体になっている。換言すれば、戻り規制突片５０Ａは、ベース部７０の上面における一側縁部から斜め上方に張り出した状態になっている。
【００７２】
ベース部７０及び戻り規制突片５０Ａには、遊技球検知孔７１と受容溝６０とが連通してなる異形孔７４を取り囲むように検知コイル７３が埋設されている。これにより、遊技球検知孔７１を通過した遊技球を検知コイル７３にて検出することができるようになっている。そして、検出スイッチ３７Ｗは、図８（Ａ）に示すように、戻り規制突片５０Ａを右側に配置した状態で、サイド始動入賞口５１Ｎの内側に固定されている。なお、遊技球検知孔７１が本発明の「貫通孔」に相当し、ベース部７０が本発明の「検出部」に相当する。
【００７３】
本実施形態によって、第１実施形態と同様に、不正行為を抑制することができる。具体的には、図８（Ａ）に示すように不正球Ｗが第１流下経路５１に入球してから、図８（Ｂ）に示すように、操作線Ｌが限界に達して操作線Ｌに不正球Ｗの自重によるテンションがかかると右側に寄せられ、操作線Ｌが戻り規制突片５０Ａの受容溝６０に受容される。そして、図８（Ｃ）に示すように、操作線Ｌを引くと不正球Ｗが戻り規制突片５０Ａの下面に当接し、それ以上引き上げることができなくなる。これにより、第１実施形態と同様に不正行為を抑制することができる。
【００７４】
［第３実施形態］
本実施形態は、図９及び図１０に示されおり、第１及び第２流下経路５１Ｖ，５２Ｖの構造が前記第１実施形態の第１及び第２流下経路５１，５２と異なる。以下、前記第１実施形態と異なる構成に関してのみ説明する。
【００７５】
図９に示すように、第１流下経路５１Ｖは、サイド始動入賞口５１Ｎから下方に均一幅をなして直線状に短く延びた上端直線部５１Ａと、その上端直線部５１Ａの下端部から左斜め下方に屈曲しながら徐々に幅が広くなる中間左屈曲部５１Ｂと、その中間左屈曲部５１Ｂの下端部から右斜め下方に屈曲して徐々に幅が狭くなる中間右屈曲部５１Ｃと、中間右屈曲部５１Ｃから鉛直下方に延びた下端直線部５１Ｄとを備えている。その第１流下経路５１Ｖの左側の内壁のうち水平経路部３７Ｈから中間左屈曲部５１Ｂの下端部までの範囲の裏面側は、第２流下経路５２Ｖにおける右側の内壁をなしている。
【００７６】
戻り規制突片５０は、第１流下経路５１Ｖにおける中間左屈曲部５１Ｂと中間右屈曲部５１Ｃとの屈曲部５３に配置され、片持ち梁状に張り出している。屈曲部５３は、サイド始動入賞口５１Ｎの下方左側に位置し、戻り規制突片５０の最も突出した部分と、戻り規制突片５０と対向する内壁との間は、遊技球が１つ通過可能な大きさになっている。
【００７７】
本実施形態によれば、第１実施形態と同様に、不正行為を抑制することができる。具体的には、図１０（Ａ）に示すように、不正球Ｗが第１流下経路５１Ｖに入球し、戻り規制突片５０を通過する。不正球Ｗの流下に伴って操作線Ｌが屈曲部５３側に寄せられ、図１０（Ｂ）に示すように、操作線Ｌの長さの限界に達して操作線Ｌに不正球Ｗの自重によるテンションがかかったときに、操作線Ｌが戻り規制突片５０の受容溝６０に受容される。そして、図１０（Ｃ）に示すように、操作線Ｌを引くと不正球Ｗが戻り規制突片５０の下面５０Ｔに当接し、それ以上引き上げることができなくなる。これにより、第１実施形態と同様に不正行為を抑制することができる。
【００７８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７９】
受容溝６０における溝終端部６０Ｃ及び金属リング６２Ｋ（図４参照）は円形に限るものではなく、抜止規制部６０Ｂとの連通部分が抜止規制部６０Ｂの幅より広く、戻り規制突片５０，５０Ａの基端側に行くほど徐々に先細り状になる三角形状の孔であってもよい。
【符号の説明】
【００８０】
１０    パチンコ遊技機
３７    サイド流下樋（遊技媒体通路）
３７Ａ    入球口
３７Ｈ    水平経路部（横方向流下通路）
３７Ｓ，３７Ｗ    検出スイッチ（検出部）
３７Ｔ    サイド可動扉
３７Ｖ    鉛直経路部
５０，５０Ａ    戻り規制突片
５１，５１Ｖ    第１流下経路（下方向流下通路）
５１Ｎ    サイド始動入賞口
５２，５２Ｖ    第２流下経路
６０    受容溝
６０Ａ    操作線導入部
６０Ｂ    抜止規制部
６０Ｃ    溝終端部
６２    切断部
７０    ベース部（検出部）
７１    遊技球検知孔（貫通孔）
Ｌ    操作線
Ｗ    不正球（不正用遊技媒体）
【図１】
2012213546.tif 000003
【図２】
2012213546.tif 000004
【図３】
2012213546.tif 000005
【図４】
2012213546.tif 000006
【図５】
2012213546.tif 000007
【図６】
2012213546.tif 000008
【図７】
2012213546.tif 000009
【図８】
2012213546.tif 000010
【図９】
2012213546.tif 000011
【図１０】
2012213546.tif 000012